(57)【要約】  【課題】中綴本の天地を断裁する際に、下刃の上に枕を置くことなく、背割れを防止することのできる手段を提供する。  【解決手段】固定された下刃上に載置された中綴本を上下動する上刃で断裁する断裁機において、上下動する上刃と連動し断裁時に該中綴本の天地両端部を押さえるクランプに、中綴本の背の傾斜部上面を押圧せしめる背割れ防止具を添設し、この背割れ防止具により、中綴本の背の傾斜部下面と固定下刃との空間を押し潰して断裁を行なう中綴本の断裁機。また、この背割れ防止具を帯板状とし、その一方の短辺の角に傾斜面を形成して、この傾斜面により中綴本の背の傾斜部を押える。【選択図】図１
0003111720.tif 000002
【実用新案登録請求の範囲】
【請求項１】
固定された下刃と上下動する上刃を有する断裁機において、断裁時に、上下動する上刃と連動し、前記断裁機の固定下刃の上に載置された中綴本の天地両端部を押さえるクランプに、前記中綴本の背の傾斜部上面を押圧せしめる背割れ防止具が添設されていることを特徴とする中綴本の断裁機。
【請求項２】
断裁時に前記背割れ防止具により、前記中綴本の背の傾斜部下面と前記固定下刃との空間が押し潰されることを特徴とする請求項１に記載の中綴本の断裁機。
【請求項３】
前記背割れ防止具は帯板状であって、その一方の短辺の角に傾斜面が形成され、該傾斜面により中綴本の背の傾斜部を押えることを特徴とする請求項１又は２に記載の中綴本の断裁機。
【請求項４】
前記背割れ防止具の幅がクランプの幅と同じであり、前記傾斜面のクランプ下面との間の角度が４５〜８０度である請求項１乃至３のいずれかに記載の中綴本の断裁機。
【請求項５】
前記背割れ防止具の、少なくとも前記中綴本に接する部分は、弾性材料で形成されていることを特徴とする請求項１乃至４のいずれかに記載の中綴本の断裁機。
【請求項６】
前記クランプ下面の中綴本前小口側の所定の位置に、前記背割れ防止具と同じ高さで下方に突出する弾性材料からなる凸起が形成され、押え対象物が無い状態でクランプが下刃上面まで下降した時に、クランプの傾斜を防止するように構成されていることを特徴とする請求項１乃至５のいずれかに記載の中綴本の断裁機。
【請求項７】
脱着及びスライド可能な背割れ防止具取付け治具が前記クランプに添設され、該治具の押圧面に前記背割れ防止具が添設されていることを特徴とする請求項１乃至５のいずれかに記載の中綴本の断裁機。
【考案の詳細な説明】
【技術分野】
【０００１】
本考案は、中綴本の断裁機に関し、とくに厚手の中綴本を裁断する時に発生し易い背割れを防止することのできる断裁機に関する。
【背景技術】
【０００２】
中綴本は、本のサイズの２倍以上の大きさの用紙を重ねて二つ折りにし、背の部分を針金で止め、断裁機により天地及び小口の三方を裁断して製本される。二つ折りにするため、中綴本の背の部分は先端側ほど厚みが薄くなって、表裏両側にやや丸みを帯びた傾斜部が形成される。この傾斜部の幅は、通常は中綴本の厚みと同程度になる。従来から、厚手の中綴本を断裁する際には、背先端付近の傾斜部に背割れが発生することが問題となっている。この背割れは、背の先端から数ｍｍの位置で、表紙の天地背側端に生じる小さな破れ又はほつれで、断裁時に下側になった部分に発生する。
【０００３】
図４は、断裁時の背割れの発生機構の説明図である。図４(ａ)に示すように、下刃１の上に中綴本２を載置し、その上面をクランプ３で押さえ、上刃４を下降させて中綴本２の天地を断裁する。その際、中綴本２の背の傾斜部６には、上刃４との摩擦により、矢印Ａ方向の剪断力が作用する。背の傾斜部６の下側と下刃１の間には空間が存在するため、背の先端が押し下げられて、傾斜部６は図４(ｂ)に示すように変形する。中綴本２の上面はクランプ３で固定されているから、この傾斜部６には強い引張力が作用する。背の下側部分は、一枚一枚の紙の重なりに対し垂直に力を受け、空間部分に紙がめくれて反り返る力が働き、これが背割れを発生させる原因となっている。
【０００４】
かかる背割れを防止する方法として、背の傾斜部と下刃（又は台座）の間の空間を無くすことが考えられる。そのため、中綴本の背と下刃の間に枕になる部材を置いて、空間を無くす方法が種々提案されている。例えば、下記特許文献１には、図５に示すように、下刃１上に一端を鋭角とする傾斜面とした枕状断裁刃１０を、下刃切断刃面と重なるよう、摺動かつ交換自在に設けた中綴本の断裁機が開示されている。
【０００５】
【特許文献１】実公平４−４８９５１号公報
【考案の開示】
【考案が解決しようとする課題】
【０００６】
上述のような枕を用いる方法で、固定式の枕を用いた場合には、断裁後の本の搬送方向に枕が置かれるので、その枕を乗り越えて本を移動させる必要があり、本の表面にキズが入るなど、枕による障害が発生する。また、枕を着脱式にして、断裁後に枕を逃がすような方法も考えられるが、本のサイズや厚みにより、枕の位置、高さが変わってくるので、枕の着脱に相当複雑な機構が必要になり、未だかかる方式が実用化されたという事例は無いようである。いずれにしても、枕の着脱により、断裁の作業能率が低下するという結果になることは避けなければならない。
【０００７】
そこで本考案は、固定式の下刃と上下動する上刃を用いて中綴本の天地を断裁する際に、下刃の上に枕を置くことなく、背の傾斜部と下刃の間の空間を無くすことを可能にし、これにより本の表面にキズを付けたり、断裁の作業性を低下させたりすることなく、中綴本の背割れを防止することのできる手段を提供することを課題としている。
【課題を解決するための手段】
【０００８】
上記課題を解決するための本考案の中綴本の断裁機は、固定された下刃と上下動する上刃を有する断裁機において、断裁時に、上下動する上刃と連動し、前記断裁機の固定下刃の上に載置された中綴本の天地両端部を押さえるクランプに、前記中綴本の背の傾斜部上面を押圧せしめる背割れ防止具が添設されていることを特徴とするものである。
【０００９】
この断裁機においては、断裁時に前記背割れ防止具により、中綴本の背の傾斜部下面と前記固定下刃との空間が押し潰されることが好ましい。
【００１０】
また、前記背割れ防止具が帯板状であって、その一方の短辺の角に傾斜面が形成され、該傾斜面により中綴本の背の傾斜部を押えるように構成されていることが好ましい。
【００１１】
また、この背割れ防止具の幅がクランプの幅と同じであり、傾斜面のクランプ下面との間の角度が４５〜８０度であることが好ましい。
【００１２】
さらに、この背割れ防止具の少なくとも中綴本に接する部分が弾性材料で形成されていることが好ましい。
【００１３】
また、上記の本考案の断裁機においては、クランプ下面の中綴本前小口側の所定の位置に、前記背割れ防止具とほぼ同じ高さで下方に突出する弾性材料からなる凸起が形成され、押え対象物が無い状態でクランプが下刃上面まで下降した時に、クランプの傾斜を防止するように構成されていることが好ましい。
【００１４】
更に、脱着及びスライド可能な治具を前記クランプに添設し、該治具の押圧面に前記背割れ防止具を添設すれば、中綴本のサイズに応じた適切な場所に背割れ防止具を簡便に設置できる。
【考案の効果】
【００１５】
本考案の中綴本の断裁機は、クランプ下面に取り付けた背割れ防止具で、本の背の傾斜部を下刃上面に押し付けて断裁を行なうことを特徴とするもので、既設の断裁機にきわめて簡単な改良を加えることにより、背割れの問題を抜本的に解決することを可能にしたものである。
【００１６】
本考案の構成によれば、背割れ防止具はクランプとともに昇降するから、従来の枕を用いる方法のように、枕が本にキズを付けたり、本の搬送の邪魔になったりすることがない。このように、本考案は簡単かつ安価な機構で、製本の作業能率に何ら影響を与えることなく、断裁時の背割れを防止することを可能にしたもので、実用上の意義は大きい。
【考案を実施するための最良の形態】
【００１７】
以下、実施例の図面を参照して、本考案の好ましい実施形態について説明する。図１は、本考案の一実施例である中綴本の断裁機の構成を模式的に示す図で、図１(ａ)は側面図、図１(ｂ)は正面図である。この断裁機は、下刃（の付いた台座）１の上に載置された中綴本２をクランプ３で押え、上刃４を下降させて本の天地を断裁するものであるが、クランプ３の下面に背割れ防止具５が取り付けられていることが特徴である。この背割れ防止具５は２片からなり、それぞれ中綴本の天側及び地側の端部に配置されている。
【００１８】
図２は、本実施例で用いた背割れ防止具の形状を示す図である。この背割れ防止具５は長方形の帯板状で、その短辺が本の背と並行になって、中綴本２の背の傾斜部６を押えるように取り付けらている。背割れ防止具５の一方の短片の下側の角には傾斜面７が形成されている。傾斜面７は、本の背の傾斜部６を面で押さえ、より本を安定して固定し、押さえ時の本の逃げを防止するためのものである。
【００１９】
図２(ｂ)に示すように、クランプ３を下降させた時に、この傾斜面７が丁度本の背の傾斜部６に当たって、これを下方に押えるような位置に、背割れ防止具５が取り付けられている。このように、傾斜部６を傾斜面７で押えることにより、傾斜部６を変形させることがより容易になり、確実に傾斜部６の下面と下刃１の上面との間の空隙を無くすことができる。なお、背割れ防止具５の取付け位置は、本の外側にはみ出さない範囲で、できるだけ本の天地の末端に近い方がよい。
【００２０】
背割れ防止具５は、本にキズが付くの防ぐため、弾性材料とくにゴム板で形成されていることが好ましい。背割れ防止具５の全体がゴムであってもよく、本と接触する部分のみがゴムであってもよい、全体がゴム製の場合、柔かいゴムでは変形して押え効果が不十分になるので、かなり変形抵抗の大きい固めのものが好適である。
【００２１】
背割れ防止具５の幅ｗはクランプの幅と同じであることが好ましい。厚手の中綴本では、背の傾斜部６を変形させるにはかなりの力を要するので、天地両端付近のみを押えた方が、確実に押え効果が得られるためである。背割れ防止具５の厚みｔは、本の厚みの０．５〜１．０倍にすればよい。
【００２２】
背割れ防止具５の長さｌはとくに限定を要しないが、十分な接着強度を有する両面テープで背割れ防止具をクランプ下面に接着するので、接着面積を十分確保できるように、長さｌは幅ｗより大きくすることが望ましい。また、傾斜面７の傾角（傾斜面７とクランプ下面との間の角）θは４５〜８０度とする。この範囲が好ましい理由は、傾斜部６との接触部以上の角度でないと、下側への押し潰しが不十分になること及び本の固定と逃げ防止のためである。
【００２３】
上記の本考案の構成によれば、クランプ３の下面が中綴本２の上面を押えると同時に、背割れ防止具５が背の傾斜部６を押さえて、少なくとも本の天地両端付近の部分では、図２(ｂ)に示すように、背の傾斜部６と下刃１の上面の間に空隙の無い状態を作り出すことができる。この状態で上刃４を下降させて本の天地を断裁すれば、背の傾斜部６の下側に引張力の作用による紙のそり返り、めくれがなく、断裁時の背割れを完全に防止することができる。
【００２４】
次いで、クランプ３を上昇させれば、背割れ防止具５はこれとともに上昇するから、下刃１の上で本を搬送する障害物はない。従来の枕を用いる方法のように、本の搬送の障害になるという問題を生じさせることなく、背割れを防止し得ることが本考案による効果である。
【００２５】
図３は、本考案の他の実施例である中綴本の断裁機の構成を示す側面模式図である。この例では、クランプ３の下面に背割れ防止具５が取り付けられているという構成及び背割れ防止具５の形状等は、図１の例と同じである。しかしこの例では、中綴本２の前小口８側の所定の位置で、クランプ３の下面に凸起９が形成されている点が相違する。この凸起９は、ゴム製の角柱状のもので、背割れ防止具５とほぼ同じ高さに下方に突出するように、クランプ３の下面に取り付けられている。
【００２６】
この凸起９を設ける目的は、空転時のクランプの傾きを防止することにある。すなわち、押え対象の本が無い状態でクランプが下刃上面近くまで下降した時に、背割れ防止具５が突き当たって、クランプ３の下面が傾き、上下動のみの機構であるクランプにねじれの力が加わり、無理な負荷の繰り返し運動による破損のおそれがある。
【００２７】
そのため、背割れ防止具５の反対側にこれとほぼ同じ高さの凸起９を設けて、これをストッパーとして、常に水平の状態を保ち、空転時のクランプの傾きを防止するものである。凸起９を設ける位置は、断裁される本に突き当たらなければよく、とくに限定を要しない。また、凸起９の数もとくに限定を要しないが、通常は本の天地に各１個以上設けることが好ましい。
【００２８】
上述したように、本考案の断裁機は、きわめて簡単かつ安価な手段で、断裁の作業性に悪影響を及ぼすことなく、中綴本の背割れを防止することを可能にしたもので、実用上の意義は非常に大きい。
【００２９】
図６は、クランプ３に脱着及びスライド可能な背割れ防止具取付け治具２０の構成を模式的に示す図である。かかる背割れ防止具取付け治具２０をクランプ３に添設し、治具の押圧面に前記背割れ防止具５を添設することにより、中綴本のサイズに応じて背割れ防止具５を簡便に設置することができる。
【図面の簡単な説明】
【００３０】
【図１】本考案の一実施例である中綴本の断裁機の構成を模式的に示す図である。
【図２】本実施例における背割れ防止具の形状を示す図である。
【図３】本考案の他の実施例である中綴本の断裁機の構成を示す側面模式図である。
【図４】断裁時の背割れの発生機構の説明図である。
【図５】従来の背割れ防止方法の一例を示す図である。
【図６】背割れ防止具取付け治具の構成を模式的に示す図である。
【符号の説明】
【００３１】
１  下刃
２  中綴本
３  クランプ
４  上刃
５  背割れ防止具
６  背の傾斜部
７  傾斜面
８  本の前小口
９  凸起
１０  枕状断裁刃
２０  背割れ防止具取付け治具
【図１】
0003111720.tif 000003
【図２】
0003111720.tif 000004
【図３】
0003111720.tif 000005
【図４】
0003111720.tif 000006
【図５】
0003111720.tif 000007
【図６】
0003111720.tif 000008